(57)【要約】      （修正有）【課題】情報本文と広告を合成したファイルを生成するシステムを提供する。【解決手段】情報閲覧者は情報閲覧指定のアプリケーションにより本体サーバ内の情報を閲覧し、閲覧しているだけでは広告は表示されない。情報提供者は情報登録用のテンプレートにより本体サーバに情報を登録する。広告スポンサーは広告条件登録テンプレートにより表示される広告ファイルや表示条件を入力し本体サーバに登録する。情報閲覧者が情報を出力（印刷、保存、複写）するアクションにより、本体サーバは条件検索を行い、情報本文と閲覧者の条件選択（検索による）、そして広告の条件を照合し、情報本体に広告ファイルを配置したファイルを生成するシステムである。閲覧だけでは広告は表示されず、出力の際に条件照合で広告を配置したファイルを生成する。【選択図】図１
2007305093.tif 000002
【特許請求の範囲】
【請求項１】
利用者が情報を出力（印刷、保存、複写）する際、言語・エリア・ジャンルなど情報検索するための種々の条件設定と、広告出稿者があらかじめ顧客として見込む種々の条件を情報出力の都度照合し、単数または複数の広告等が情報本文の周りに自動配置したファイルを生成するシステム。
【発明の詳細な説明】
【技術分野】
【０００１】  本発明は、ホームページにおいて利用者が必要とする情報を出力（印刷、保存、複写）する際に、利用者と広告出稿者の条件をデータベース上で照合し、合致した場合に、単数または複数の広告を情報本体の周りに表示したファイルが生成される。従来のように広告と情報が混在したホームページではなく、情報本文と広告を分離してすっきり表示しながらも、情報を必要とするときに行う出力行為により広告を表示する仕組みである。
【技術背景】
【０００２】  従来、ホームページは画面に表示されたとおりに出力印刷、保存、複写されるのが一般的であった。ホームページに広告が表示されていれば出力印刷、保存、複写の際にもレイアウト通りに広告は表示された。広告は見た目で、情報本文を圧迫していた。また、写真、イラスト、論文、小説、短歌、歌、地図など著作権にからむ情報の殆どは、会員登録をしなければ閲覧できなかった。
これには次のような欠点があった。
（イ）利用者が必要とする情報本文は常に広告スペースに圧迫され面積的に小さく狭くならざるを得なかった。
（ロ）広告は常に目立つのが一般的。目立つ場所、目立つデザインを工夫し、その結果、利用者が必要とする情報本文は見ずらくなった。
（ハ）情報と広告の内容が不一致であり、アンバランスのケースが多々あった。
本発明は、これらの欠点を除くためになされたものである。
【発明の開示】
【発明が解決しようとする課題】
【０００３】  ホームページにおいて利用者は主として情報そのものを期待としている。周りに配置されている広告を期待しているわけではない。しかし一般的に、バナーやアフェリエイト広告などに埋もれた情報ページが多いのは収入＝広告料があるからであり、情報提供者は収入を得るための手段として、情報を圧迫する広告と混在することを避けられなかった。また、写真、イラスト、論文、小説、短歌、歌、地図など著作権にからむ情報の殆どは、会員登録などの縛りがあり閲覧だけであっても簡単に見ることができないケースが多かった。本発明はこれに対し、新たな広告手段を提供する。それは、情報本文と広告を分離するものである。
【課題を解決するための手段】
【０００４】  情報の価値観は人により千差万別である。価値の高い情報と判断したとき、人は情報を出力（印刷、保存・複写）する傾向がある。本発明はこのアクションに着目した。
利用者は本体サーバにあるホームページの情報本文を閲覧する。この段階では広告は表示されない。だから、情報は非常に見やすい。次に、利用者が情報の価値を認め出力（印刷、保存・複写）アクションを起す。これにより、あらかじめデータベースに登録してある広告の条件照合を行い、情報本文の周囲に広告を自動配置したファイルを生成、管理するシステム。
【発明の効果】
【０００５】これには次のような効果がある
（イ）情報はすっきり見やすくなる。
（ロ）著作権のある原稿、写真、短歌、図などを本システムで表示した場合、出力する行為によりスポンサー広告を得ることができるので、従来のような著作権保護策に限定せず、出力を奨励する新たなサービスが誕生する。
（ハ）（ロ）により情報提供者は本システム上に自己の情報を置く。
（ニ）広告主はあらかじめ自らの予想顧客タイプを絞り込むことができ、従来にない効果的な、インパクトのある広告提供が可能になる。
本発明は、これらの効果をもたらすものである。
【発明を実施するための最良の形態】
【０００６】本発明の実施の流れを図１に示す。
あ）の情報閲覧者（利用者）は▲１０▼の本体サーバにアクセスする際には▲１▼指定のアプリケーションをダウンロードしてデータを閲覧する。  い）の情報提供者は▲１０▼の本体サーバの指定ディレクトリーに▲５▼の情報提供者用のテンプレートに従い▲６▼の情報本体を登録する。う）のスポンサーは▲７▼の広告登録用のテンプレートを通じて▲１０▼の本体サーバの指定ディレクトリーに、利用者が閲覧する際に選択するジャンル、キーワード、地図エリア、時間、言語など自己の見込み客を予想した条件を設定登録するとともに、▲８▼の出力時に表示する広告データを規定に従い登録する。本サーバに登録した本体情報は▲１▼の指定のアプリケーションがなければ閲覧できない。また、本サーバには情報を出力する際の複数のデザインテンプレートを登録しておく。
本発明は以上のようなシステムである。【０００７】「実施形態の効果」
この実施形態によれば、写真、イラスト、論文、小説、短歌、歌、地図など著作権にからむ情報の殆どは多くの人に閲覧させることができる。著作権物の容易な閲覧が可能になる。また、閲覧する人がその情報の価値を認め情報を出力することで情報提供者には広告収入が発生するため、情報の内容が問われるようになる。印刷、複写、保存を嫌っていた著作権物は本システムではそれを励行するようになる。また、広告出力は閲覧者との条件照合を前提としているため、従来にない、効果的な絞込み広告になる。【０００８】「他の実施形態」
図１に示した情報本文は主にテキスト文章・ファイル（形式＝ＴＸＴ）をイメージしたが、写真、イラスト、地図などの静止画像ファイル（形式＝通常のブラウザが表示するＪＰＥＧ、ＧＩＦ、ＰＮＧ）、テキストと画像ファイルの混在ファイルも有効である。例えば、観光地などにおいての地図サービスを考える。駅などに本システムを組み入れたキオスク端末があり、画面上に地図が表示されている。旅行者が目的地周辺の地図選択をすると画面上には目的地地図が大きく表示される。旅行者がこの地図を印刷しようとした場合、広告出向者条件とこのエリア条件を照合し、地図印刷の周辺に広告が掲載されたファイルが生成され印刷出力される。
【産業上の利用可能性】
【０００９】  インターネットを活用した情報提供、情報収集の動きは世界的に勢いが止まらない。利用者は価値ある情報が、簡単でわかりやすく、安価に（できれば無料）入手できることを喜ぶ。その一方で、正当な著作権を有する情報が一般に普及しにくいのは情報を不正なアクションから保護する動きがあるからだ。しかし、情報閲覧だけのネットサーフィンのような行為ではそもそも著作権は破壊されない。著作権を保護するということは、著作権データを無断で印刷、保存、複写されることから守ることである。閲覧だけのネットサーフィンをさせないことではない。
本発明はこの行動科学に着目した。情報は見やすく、出力は簡単がよい。利用者が情報の価値を認め情報を出力するアクションにより、本システムは稼動する。広告が表示される。また、いったん出力されたデータは再保存・配布することはできない。更に、表示された広告の表示回数などを管理することで、情報提供者は「本体情報の収益性」をタイムリーに把握することができる。また、スポンサー候補者は、どの本体情報に消費者の価値（出力）が集まっているのかを閲覧する権利により、社会のニーズをタイムリーに把握できるばかりではなく、人気情報提供者の発掘に活用できる。
本発明は本サーバ内に世界各国の言語、フォントを用意することにより世界中の人たちが気軽に利用できる。特に、著作権データを正しく、しかし、気軽に活用できるようになる。本サービスの広がりに時間はかからない。世界中の多くの志ある創作活動を、幅広い分野の創作活動を、新しい価値観で援助できる。
【図面の簡単な説明】
【００１０】
【図１】本発明の実施の流れ図である。
【符号の説明】
【００１１】  あ）情報閲覧者の流れ
▲１▼  情報閲覧指定アプリケーションの入手
▲２▼  本体サーバ内の情報検索＝ジャンル等の条件の絞込み
▲３▼  情報の閲覧、情報出力（印刷、保存、複写）
▲４▼  条件照合による広告付きファイルの生成
い）情報提供者の流れ
▲５▼  情報登録用のテンプレート入手（題名、情報本体、条件記入欄）
▲６▼  情報の登録
う）広告スポンサーの流れ
▲７▼  広告条件入力テンプレート
▲８▼  表示広告
▲９▼  広告表示条件の登録
▲１０▼  本体サーバ
【図１】
2007305093.tif 000003